(57)【要約】【課題】  端子数の多い集積回路の入出力端子の信号等を測定する場合に、その動作測定装置の測定端子が端子を短絡させやすい等の課題があった。【解決手段】  集積回路ａの複数の入出力端子ｃの夫々と接触する接触端子２と、これら接触端子２の夫々に接続された固定接点部５と、これら複数の固定接点部５の内の選択された一つの固定接点部５と電気的な接続を可能とする可動接点部２３と、この可動接点部２３に接続された測定端子２４とを設けることにより、該測定端子２４を前記可動接点部２３、その可動接点部２３に接続された一つの固定接点部５、そして一つの接触端子２３を介して集積回路の任意の端子ｃと電気的な接続を可能とする。【選択図】      図１
2005345367.tif 000002
【特許請求の範囲】
【請求項１】
集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設けることにより、該測定端子を前記可動接点部、その可動接点部に接続された一つの固定接点部、そして一つの接触端子を介して集積回路の任意の端子と電気的な接続を可能としたことを特徴とする集積回路用動作測定装置。
【請求項２】
前記複数の接触端子を配した配線基板を設け、この配線基板上に前記複数の接触端子の夫々に接続された複数の固定接点部を円周状に配置し、この配線基板に対して回動可能に支持される回転操作ダイアルを設け、この回転操作ダイアルの外周面に前記円周状に配置した複数の固定接点部の内の一つと電気的に接触可能に構成した可動接点部を設けたことを特徴とする請求項１記載の集積回路用動作測定装置。
【請求項３】
集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設け、さらに、前記複数の接触端子を配した配線基板を設け、この配線基板上に前記複数の接触端子の夫々に接続された複数の固定接点部を円周状に配置し、この配線基板上には支持体を設け、該支持体には前記複数の固定接点部と夫々独立して接続された同数のリモート固定接点部を螺旋状に配置し、前記支持体の内部には回転可能に支持された回転操作ダイアルを設け、該回転操作ダイアルの外周に前記支持体に螺旋状に配置した複数のリモート固定接点部の内の一つと電気的に接触可能に構成した可動接点部を設け、前記螺旋状を複数巻き形成させることを特徴とする集積回路用動作測定装置。
【請求項４】
前記配線基板に対して支持体を設け、前記回転操作ダイアルをこの支持体の内周面に回動可能に支持し、さらに前記配線基板と支持体とを覆うカバー体を設けたことを特徴とする請求項１から３のいずれか１項に記載の集積回路用動作測定装置。
【請求項５】
前記複数の接触端子は、使用時において、前記集積回路の入出力端子間に挿入されることにより、各接触端子の両側縁を形成する接触部が該集積回路の隣接した入出力端子に各々が接触するように構成され、さらに該両側縁を形成する一対の接触部はその一対の接触部間を絶縁する絶縁体を一体的に接合して構成されていることを特徴とする請求項１から４の何れか１項に記載の集積回路用動作測定装置。
【請求項６】
前記接触端子と前記配線基板の固定接点部との電気的接続配線パターンを、回路基板の縁部に沿って内側より外側へ順次右回り或いは左回りの位置に配置したことを特徴とする請求項２から５のいずれか１項記載の集積回路用動作測定装置。
【発明の詳細な説明】
【技術分野】
【０００１】
本発明は、集積回路を実装した状態で動作確認を行うために、集積回路に装着して入出力端子の電圧等の信号を測定する集積回路用動作測定装置に関する。
【背景技術】
【０００２】
近年、集積回路は高密度化の一途を辿り、この集積回路より導出される端子もその幅、間隔ともに小さなものとなっている。そして、集積回路の入出力端子の電圧等の信号を測定する際に測定機器の端子をその都度対象とする集積回路の入出力端子に手で或いは固定器具を用いて接触させて計測するには、集積回路に形成された入出力端子は、その幅、間隔とも小さいため、計測に際しテスター等の測定機器の端子による隣接する端子間の短絡あるいは測定機器の端子の押圧による集積回路の入出力端子の変形などを招くおそれが増大していた。
そして、上記したおそれを解消するために、マントル部に、集積回路の入出力端子間に介入して端子と接触する複数の接触端子指状体を備え、かつ、前記マントル部に測定機器のリード棒Ｃなどを接触させる測定端子導体を集積回路の入出力端子の数と同じ数だけ設けて構成した集積回路に形成する複数の入出力端子の信号測定を行う端子測定治具はすでに提案されている。例えば特許文献１参照。
【０００３】
【特許文献１】特開平７−１９１０９１号公報
【発明の開示】
【発明が解決しようとする課題】
【０００４】
ところが上記した従来の集積回路の入出力端子測定治具によれば、マントル部の下面にあらかじめ集積回路のすべての端子に各々接続する接続子指状体を有し、集積回路の入出力端子間に接続子指状体を介入して端子測定治具を予め集積回路に装着した状態で、集積回路の入出力端子の信号等を測定するものであるが、マントル部の上面に設けられ前記接続子指状体に各々接続する測定端子導体に測定機器の測定端子を選択的に接続して集積回路の入出力端子の信号等を測定する構成であるので、端子数の多い集積回路の入出力端子の信号等を測定する場合に、集積回路の入出力端子測定治具は、集積回路の入出力端子数と同じ数の接続ピン導体が、マントル部の上面に林立する構成となっていた。したがって集積回路の入出力端子の信号等を測定するに際し、密集状態の複数の接続ピン導体間を測定機器の測定端子が短絡させるおそれがあり、また、接続ピンと測定機器の測定端子との接続状態を手持ちした測定端子により良好に保持し続けることは難しく、これを解消しようとクリップを用いた場合には、開いたクリップにより接続ピン導体間を短絡させるおそれもあった。
【課題を解決するための手段】
【０００５】
本発明の請求項１の集積回路用動作測定装置は、集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設けることにより、該測定端子を前記可動接点部、その可動接点部に接続された一つの固定接点部、そして一つの接触端子を介して集積回路の任意の端子と電気的な接続を可能としたことを特徴としている。
【０００６】
本発明の請求項２の集積回路用動作測定装置は、請求項１の集積回路用動作測定装置において、前記複数の接触端子を配した配線基板を設け、この配線基板上に前記複数の接触端子の夫々に接続された複数の固定接点部を円周状に配置し、この配線基板に対して回動可能に支持される回転操作ダイアルを設け、この回転操作ダイアルの外周面に前記円周状に配置した複数の固定接点部の内の一つと電気的に接触可能に構成した可動接点部を設けて、回転操作ダイアルを回動操作して回転操作ダイアルの外周面に設けた可動接点部と支持体の固定接点部との接続を切り替える構成を特徴とする。
【０００７】
本発明の請求項３の集積回路用動作測定装置は、請求項１又は２の集積回路用動作測定装置において、集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設け、さらに、前記複数の接触端子を配した配線基板を設け、この配線基板上に前記複数の接触端子の夫々に接続された複数の固定接点部を円周状に配置し、この配線基板上には支持体を設け、該支持体には前記複数の固定接点部と夫々独立して接続された同数のリモート固定接点部を螺旋状に配置し、前記支持体の内部には回転可能に支持された回転操作ダイアルを設け、該回転操作ダイアルの外周に前記支持体に螺旋状に配置した複数のリモート固定接点部の内の一つと電気的に接触可能に構成した可動接点部を設け、該螺旋状を複数巻き形成させて、円周状に設けた螺旋状溝の複数の凹部（適宜設けることが可能）に、回転操作ダイアルの外周面に設けた係合突起部（適宜設けることが可能）を選択的に係合させて可動接点部と固定接点部と接続を行うことを特徴とする。
【０００８】
本発明の請求項４の集積回路用動作測定装置は、請求項１から３のいずれか１項に記載の集積回路用動作測定装置において、前記配線基板に対して支持体を設け、前記回転操作ダイアルをこの支持体の内周面に回動可能に支持し、さらに前記配線基板と支持体とを覆うカバー体を設けたことを特徴とする。
【０００９】
本発明の請求項５の集積回路用動作測定装置は、請求項１から４のいずれか１項に記載の集積回路用動作測定装置において、前記複数の接触端子は、使用時において、前記集積回路の入出力端子間に挿入されることにより、各接触端子の両側縁を形成する接触部が該集積回路の隣接した入出力端子に各々が接触するように構成され、さらに該両側縁を形成する一対の接触部はその一対の接触部間を絶縁する絶縁体を一体的に接合して構成されていることを特徴とし、該接触端子は、その接触部が隣接する集積回路の入出力端子に接触する。
【００１０】
本発明の請求項６の集積回路用動作測定装置は、請求項２から５のいずれか１項に記載の集積回路用動作測定装置において、前記接触端子と前記配線基板の固定接点部との電気的接続配線パターンを、回路基板の縁部に沿って内側より外側へ順次右回り或いは左回りの位置に配置したことを特徴とし、回転操作ダイアルの回転につれて、その測定端子は集積回路の入出力端子に順次接続していく。
【発明の効果】
【００１１】
本発明の集積回路用動作測定装置によれば、集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設けることにより、該測定端子を前記可動接点部、その可動接点部に接続された一つの固定接点部、そして一つの接触端子を介して集積回路の任意の端子と電気的な接続を可能としたので、集積回路の入出力端子の信号等を測定するに際し、動作測定装置の各接触端子を、前記集積回路の各端子に接触させ、この状態で複数の集積回路の入出力端子と測定機器の測定端子との接続の切り替えを、可動接点部と測定端子との接続の切り替えることにより容易に達成することができて、集積回路端子の信号等の測定は、測定機器の測定端子に接続するだけでできるので集積回路の入出力端子間を短絡させるおそれがなく、容易に且つ確実に集積回路の入出力端子の信号等を測定することができる。
【００１２】
また、請求項２記載の集積回路用動作測定装置によれば、前記複数の接触端子を配した配線基板を設け、この配線基板上に前記複数の接触端子の夫々に接続された複数の固定接点部を円周状に配置し、この配線基板に対して回動可能に支持される回転操作ダイアルを設け、この回転操作ダイアルの外周面に前記円周状に配置した複数の固定接点部の内の一つと電気的に接触可能に構成した可動接点部を設けたので、回転操作ダイアルを回動操作により回転操作ダイアルの外周面に設けた可動接点部と支持体の固定接点部との接続を切り替えでき、容易に且つ確実に集積回路の入出力端子の信号等を測定することができる。
【００１３】
また、請求項３記載の集積回路用動作測定装置によれば、集積回路に形成された複数の入出力端子の信号等の測定を行う集積回路用動作測定装置であって、該動作測定装置は、前記集積回路の複数の入出力端子の夫々と接触する複数の接触端子と、これら複数の接触端子の夫々に接続された複数の固定接点部と、これら複数の固定接点部の内の選択された一つの固定接点部と電気的な接続を可能とする可動接点部と、この可動接点部に接続された測定端子とを設け、さらに、前記複数の接触端子を配した配線基板を設け、この配線基板上に前記複数の接触端子の夫々に接続された複数の固定接点部を円周状に配置し、この配線基板上には支持体を設け、該支持体には前記複数の固定接点部と夫々独立して接続された同数のリモート固定接点部を螺旋状に配置し、前記支持体の内部には回転可能に支持された回転操作ダイアルを設け、該回転操作ダイアルの外周に前記支持体に螺旋状に配置した複数のリモート固定接点部の内の一つと電気的に接触可能に構成した可動接点部を設け、該螺旋状を複数巻き形成させたので、円周状に設けた螺旋状溝の複数の凹部（適宜設けることが可能）に、回転操作ダイアルの外周面に設けた係合突起部（適宜設けることが可能）を選択的に係合させて可動接点部と固定接点部と接続を行うことができ、容易に且つ確実に集積回路の入出力端子の信号等を測定することができる。
【００１４】
また、請求項４記載の集積回路用動作測定装置によれば請求項１から３のいずれか１項に記載の動作測定装置において、前記配線基板に対して支持体を設け、前記回転操作ダイアルをこの支持体の内周面に回動可能に支持し、さらに前記配線基板と支持体とを覆うカバー体を設けたので、集積回路用動作測定装置の配線部を保護することができる。
【００１５】
また、請求項５記載の集積回路用動作測定装置によれば請求項１から４のいずれか１項に記載の集積回路用動作測定装置において、前記複数の接触端子は、使用時において、前記集積回路の入出力端子間に挿入されることにより、各接触端子の両側縁を形成する接触部が該集積回路の隣接した入出力端子に各々が接触するように構成され、さらに該両側縁を形成する一対の接触部はその一対の接触部間を絶縁する絶縁体を一体的に接合して構成することにより、該接触端子は、その接触部が隣接する集積回路の入出力端子に確実に接触する。
【００１６】
また、請求項６記載の集積回路用動作測定装置によれば請求項２から５のいずれか１項に記載の集積回路用動作測定装置において、前記接触端子と前記配線基板の固定接点部との電気的接続配線パターンを、回路基板の縁部に沿って内側より外側へ順次右回り或いは左回りの位置に配置したことを特徴としたので、回転操作ダイアルの回転につれて、その測定端子は集積回路の入出力端子に順次接続していき、操作性に優れる。
【発明を実施するための最良の形態】
【００１７】
以下、本発明の実施例を発明を実施するための最良の形態として図面を用いて説明するが、これは本発明の一実施例であり、本発明をその図面記載の構成とおりに限定するものではない。
【００１８】
以下、図面と共に本発明の実施例を詳述すると、先ず、図１のＡは本発明の動作測定装置Ｂにより端子の信号等を測定される集積回路を示し、該集積回路Ａは図１で示すように扁平な方形状の本体ａの各辺ｂに、本体ａの側部より外方へ延出するとともにその先端部が下方に延びる８本の入出力端子ｃ１，ｃ２・・・（入出力端子を総称する場合は「入出力端子Ｃ」とも表記する）を各々配設してある。図面では、端子を集積回路Ａの一辺に８本配置したものを示しているが、通常は数十本以上配置したものが使われているが、説明の都合上、８本のものを図示して本発明を説明している。
【００１９】
次に本発明の動作測定装置Ｂについて図面と共に説明する。図１は、本発明の動作測定装置Ｂと集積回路Ａとの位置関係を示し、図２は、動作測定装置Ｂの内部の詳細構造を示している。図２において、１は測定対象の集積回路Ａの平面形状よりやや大形の方形状の配線基板を示し、該配線基板１の各辺の下面縁部には、前記集積回路Ａの一辺の入出力端子ｃの数（本実施例では８本）より１つ少ない数（本実施例では７本）の接触端子２，２・・・を等間隔に並設してあり、使用時に、これら複数の接触端子２，２・・・が、前記集積回路Ａの入出力端子ｃ間に介入される（図３）。
【００２０】
前記複数の接触端子２，２・・・は、前記基板１の下面より下方に延びると共に、その下部は先細状の接触部３，３が形成されている。この接触端子２，２・・・は、図３で示すように、一対の接触部３，３と、その接触部３，３を絶縁する絶縁体４とが一体的に接合された構成としてある。そして、隣り合う接触端子２，２同士の隣接する一対の接触部３，３によって一つの入出力端子ｃを挟み込むようにして電気的接触を確保している。なお、両端の接触端子２の外側の接触部３は、一つの接触部３のみによって最外方の入出力端子ｃ１及びｃ８との電気的接触を確保している。
【００２１】
前記配線基板１の上面縁部には、前記接触部３，３・・・に各々接続する固定接点５ａ，５ｂ・・・５ｈが配設してあり（図においては、一辺に配置された固定接点にのみ添付数字を付しており、他の辺は同様であるので、煩雑を避けるために添付数字を付すのを省略している）、該固定接点５ａ，５ｂ・・・５ｈのうち両端の接点５ａ及び５ｈは接触端子２，２・・・の各接触部３のうち外側の接触部３ａ及び３ｈに接続しており、他の接点５ｂ・・・５ｇは各接触端子２，２・・・の隣接する一対の接触部３，３によって各々挟まれて電気的接続を確保している。
【００２２】
前記配線基板１の上面には、対応する前記接触部３，３・・・及び前記固定接点５，５・・・に各々独立して電気的に接続された接点６，６・・・を配設してあり、これら接点の配列は４個の接点６，６・・・を直線的に放射状に配置し、この放射的に配置した接点６，６・・・を所要の角度で放射状に配置してある（図２）。
【００２３】
そして、前記接触接点５，５・・・，・・・と接点６，６・・・との間の配線接続パターンは、図６（ａ）で示すように、配線基板１の縁部に沿って配設された前記接触接点５ａ，５ｂ・・・と内側より外側へ順次右回りの位置にある接点６ａ，６ｂ・・・とを順に接続して構成される。図示はしないが、この配線接続パターンは、図６（ａ）で示す方向と反対方向に内側より外側へ順次右回りとしても良い。
【００２４】
図２において、７は前記配線基板１に固設されて上下方向に延びる支持体を示し、該支持体７は筒状体８の内周面に螺旋状溝９を形成してあり（図５）、この螺旋状溝９には、図４及び図５で示すように、間隔を置いて前記集積回路Ａの入出力端子ｃの数に等しい数の凹部１０，１０・・・が設けられると共に、この凹部１０，１０・・・に接触端子１１，１１・・・を各々備えてリモート固定接点部１２を構成している。そして、このリモート固定接点部１２の接触端子１１，１１・・・は前記筒状体８の外面にまで延出している。
【００２５】
そして、この外面にまで延出した接触端子１１，１１・・・は接続部材１４を介して前記配線基板１の対応する接点６，６・・・に各々電気的接続を形成している。すなわち、螺旋状溝９の最下部のリモート固定接点部１２ａより順に最上部のリモート固定接点部１２ｎまで配線基板１の各側縁部に沿って配設された接点６，６・・・とを順に各々独立した電気的接続を形成している。そして、前記筒状体７の上面には、中心部に通孔１５を備えた上面板１６を一体に設けてある（図２）。
【００２６】
図２において、１７は、前記筒状体８の内周面に回動可能に支持される回転操作ダイアルを示し、該回転操作ダイアル１７は、前記支持体７に対して嵌合体１８を回動自在に嵌合して配置し、その上部に円柱状の操作部１９を設けてあり、この操作部１９の上部は前記筒状体８の通孔１５より前記上面版１６の上方に臨んでおり、さらに操作部１９の上面に回転操作ダイアル１７の切替方向を示す目印２０を設けてある。
【００２７】
さらに、前記嵌合体１８の外周面には、前記筒状体７の螺旋状溝９に摺動可能に介入すると共に前記凹部１０に係脱可能に係合する導電性の係合突起部２１を有しており、この係合突起部２１には可動接点部２３が形成されている。
【００２８】
そして、前記操作部１９の上面には、測定機器の測定入出力端子ｄなどを接触させる測定端子２４を設けてあり、この測定端子２４は前記可動接点部２３に電気的な接続を形成している。
【００２９】
図２において、２５は前記配線基板１に対して固定されて前記配線基板１の上面部と筒状体７と前記接続部材１４とを覆うカバー体を示し、前記配線基板１の平面形状とほぼ等しい断面を有する筐体２６の上面に、集積回路Ａの入出力端子番号表示板２７を設けてあり、この入出力端子番号表示板２７は中心部に前記回転操作ダイアル１７の操作部１９の上部が回動自在に望む導出孔２８を有すると共にこの導出孔２８を中心として前記集積回路Ａの入出力端子ｃの番号１，２，３，・・・，３２を表示した番号表示部２９を構成しており、該番号表示部２９は番号表示が左回りに、かつ、外側に向かって漸次大きな番号となるように放射状に整列して付されている。
【００３０】
そして、集積回路Ａの入出力端子ｃの信号等を測定する場合には、まず、動作測定装置Ｂを集積回路Ａの上方より下降させて接触端子２，２・・・を、前記集積回路Ａの入出力端子ｃ間に介入して集積回路Ａに本発明の動作測定装置Ｂを装着する。
【００３１】
この状態で、動作測定装置Ｂの接触端子２，２・・・の接触部３，３は、集積回路Ａの入出力端子ｃを挟んで各々に電気的接触を確保する。したがって、集積回路Ａの１つの入出力端子ｃには、図３で示すように入出力端子ｃの両側に位置して対向する一対の接触部３，３が圧接する。そして例えば、集積回路Ａの入出力端子ｃ１の信号等を測定する場合には、操作部１９を回動操作して回転操作ダイアル１７を下位位置まで下降し、この下降状態で目印２０を端子番号表示部２９の目盛１に合わせる。
【００３２】
すると回転操作ダイアル１７の係合突起部２１は筒状体８の螺旋状溝９に設けた凹部１０，１０・・・のうち最も下部に位置する凹部に係合する。
【００３３】
すると回転操作ダイアル１７の可動接点部２３と支持体７のリモート固定接点部１２ａとが接続し、したがって、この状態で、集積回路Ａの入出力端子ｃ１と、配線基板１の接触端子２と、接触部３ａと、回転操作ダイアル１７の可動接点部２３と、支持体７のリモート固定接点部１２ａと、測定端子２４とが電気的に導通状態となる。この状態で測定機器のリード棒ｄなどを測定端子２４に接触させることにより、実装状態における集積回路Ａの入出力端子ｃの信号等を測定することができる。
【００３４】
次に例えば、集積回路Ａの３２番目の入出力端子ｃの信号等を測定する場合には、操作部１９を回動操作して回転操作ダイアル１７を上位位置まで上昇し、この上位状態で目印２０を端子番号表示部２９の目盛３２に合わせる。すると回転操作ダイアル１７の係合突起部２１は支持体７の螺旋状溝９に設けた凹部１０，１０・・・のうち最も上部に位置する凹部に係合する。
【００３５】
すると回転操作ダイアル１７の可動接点部２３と支持体７のリモート固定接点部１２ｎとが接続し、したがって、この状態で、集積回路Ａの３２番目の入出力端子ｃと、配線基板１の接触端子２と、接触部３と、回転操作ダイアル１７の可動接点部２３と、支持体７のリモート固定接点部１２ｎと、測定端子２４とが電気的に導通状態となる。この状態で測定機器のリード棒ｄなどを測定端子２４に接触させることにより、実装状態における集積回路Ａの３２番目の入出力端子ｃの信号等を測定することができる。
【００３６】
そして、１番目の入出力端子ｃから３２番目の入出力端子ｃの間に配設された集積回路Ａの２番目の入出力端子ｃから３１番目の入出力端子ｃの信号等を測定する場合には、操作部１９の回動操作して回転操作ダイアル１７を上下動し、この目印２０を端子番号表示部２９の目盛２から３１に選択的に合わせる。すると回転操作ダイアル１７の係合突起部２１は支持体７の螺旋状溝９に設けた凹部１０，１０・・・のうち対応する凹部１０に係合する。
【００３７】
すると回転操作ダイアル１７の可動接点部２３と支持体７の対応するリモート固定接点部１２のうちのいずれか対応する１つとが接続し、したがって、この状態で、上記と同様に集積回路Ａの２番目の入出力端子ｃから３１番目の入出力端子ｃのうちのいずれか１つと、測定端子２４とが電気的に導通状態となる。この状態で測定機器の測定入出力端子ｄなどを測定端子２４に接触させることにより、実装状態において集積回路Ａの２番目の入出力端子ｃから３１２番目の入出力端子ｃのうちのいずれか１つの端子の信号等を測定することができる。
【００３８】
以上のように構成したので、集積回路の入出力端子の信号等を測定するに際し、複数の集積回路の入出力端子と測定機器の測定端子との接続の切り替えを、可動接点部と本発明における測定端子との接続の切り替えにより行うことができて、測定機器の測定端子は本発明における測定端子に接続するだけで、測定できるので計測集積回路の入出力端子間を短絡させるおそれがない。
【００３９】
図７ａは、前記配線基板１の複数の固定接点５，５・・・と接点６，６・・・との接続パターンの他の実施例を示し、前記配線基板１の放射状の接点６，６・・・の内側より外側へ順次接続するとともに次に右回りの位置にある次の放射状の接点６の内側より外側へと、配線基板１の縁部に沿って配設、配線基板１の４つの縁部を周回する順番に接続して構成される。
【００４０】
なお上記実施例では扁平な方形状の本体ａの各辺ｂに、複数の入出力端子ｃを配設した構成の集積回路Ａの端子の信号等を計測する場合に用いる動作測定装置Ｂについて述べたが、これに限定されるものではなく、方形状の本体ａの３辺或は対向する２辺或は１辺のみに、複数の入出力端子ｃを配設した構成の集積回路Ａの端子を計測する場合にも応用できることは勿論である。
【００４１】
なお、上記実施例では支持体７の内面に螺旋状溝９を設け、この螺旋状溝９に集積回路Ａの端子の数に相当する数のリモート固定接点部１２を配設して、端子の数が少ない集積回路Ａの端子の信号等を測定する場合には、支持体７の内面に周状溝を設け、この周状溝に集積回路Ａの端子の数に相当する数のリモート固定接点部１２を配設して構成してもよいことは勿論である。
【図面の簡単な説明】
【００４２】
【図１】本発明の集積回路用動作測定装置の使用形態を示す斜視図である。
【図２】本発明の集積回路用動作測定装置の分解斜視図である。
【図３】集積回路の入出力端子と測定部との接触状態を示す説明図である。
【図４】回動操作ダイアルを螺旋状溝に沿って切断した断面図である。
【図５】支持体の内面を示す筒状体の断面図である。
【図６】複数の固定接点と複数の接点との関係を示す説明図であり、図６（ａ）は、固定接点と複数の接点の接続パターンを示す説明図であり、図６（ｂ）は、カバー体の平面図である。
【図７】複数の固定接点と複数の接点との関係を示す説明図であり、図７（ａ）は、接続パターンの他の実施例を示す説明図であり、図（７ｂ）は、カバー体の他の実施例を示す平面図である。
【符号の説明】
【００４３】
１  基板
２  接触端子
Ａ  集積回路
ｃ  端子
３  接触部
５  固定接点
６  接点
７  支持体
８  筒状体
９  螺旋状溝
１０  凹部
１１  接触端子
１２  リモート固定接点部
１３  外部接点部
１７  回転操作ダイアル
１８  嵌合体
２３  可動接点部
２４  測定端子
２５  カバー体
【図１】
2005345367.tif 000003
【図２】
2005345367.tif 000004
【図３】
2005345367.tif 000005
【図４】
2005345367.tif 000006
【図５】
2005345367.tif 000007
【図６】
2005345367.tif 000008
【図７】
2005345367.tif 000009